(57)【要約】      （修正有）【課題】ガラスやステンレス製のコップや調味料容器のように把手部がなく円筒形で表面が滑らかな容器に簡単に装着することで、把持したコップ等容器を滑りによる脱落を防止できるコップバンドを提供する。【解決手段】伸縮性及び摩擦性のあるゴム等軟質素材で一定幅の帯状で環形状に形成されたリング状バンドＡで、該リング状バンドＡの内側は楕円弧状の凹み１、さらに外側表面は円弧状の膨らみ２を持ったリング状バンドＡをコップ等容器７の把持し易い部分に嵌め込んで装着する。【選択図】図１
0003159713.tif 000002
【実用新案登録請求の範囲】
【請求項１】
伸縮性及び摩擦性のある軟質素材で一定幅の帯状で環形状に形成されたリング状バンドであって、該リング状バンドの内側は楕円弧状の凹み、さらに外側表面は円弧状の膨らみを持たせたことを特徴とする、コップバンド。
【請求項２】
伸縮性及び摩擦性のある軟質素材で一定の幅とコップ等容器外周に相当する長さを有する帯状バンドであって、該帯状バンドの表面側に円弧状の膨らみを持たせ、さらに裏面側に剥離可能に貼着された剥離紙を備えた粘着部を設けたことを特徴とする、コップバンド。
【請求項３】
請求項１及び請求項２記載のコップバンドであって、該コップバンドの表面側に凹凸状の模様や文字またロゴマーク等の加飾部を設けたことを特徴とする、コップバンド。
【考案の詳細な説明】
【技術分野】
【０００１】本考案は、ガラスやステンレス製の飲用コップや調味料容器のように把手部がなく円筒形で表面が滑らかな容器に装着することで、容器を素手で直に把持しても滑りによる脱落を防止できるコップバンドに関する。
【背景技術】
【０００２】従来から、コップ等円筒形で滑りやすい容器を素手で直に把持した場合は手指から滑って脱落しないように注意しながら使用していた。
【考案の開示】
【考案が解決しようとする課題】
【０００３】ガラスやステンレス製のコップや調味料容器のように把手部がなく円筒形で表面が滑らかな容器は滑り易く、握力が不安定な子供や高齢者は些細な不注意で滑って脱落する恐れがある、また容器内の内容物が過度に熱い又は冷たい場合や宴会やパーティーのようにビール等冷たい飲料を注いだコップは結露による水滴で滑りやすく長時間把持することは苦痛である、またさらに円筒形の調味料容器は長期間使用することで油汚れ等で滑りやすい状態でしかも調理中の濡れた手で把持すると滑って脱落する恐れがあり不便であった。【０００４】本考案の課題は、上記問題を解決するために、コップ等円筒形容器に簡単に装着ができ、しかも形状がシンプルで必要に応じ着脱自在のコップバンドを提供する。
【課題が解決するための手段】
【０００５】本考案を解決するために、請求項１記載の考案は、図１（Ｉ）に示すように、伸縮性及び摩擦性のあるゴム等からなる軟質素材で一定幅の帯状で環形状に形成されたリング状バンド（Ａ）で、該リング状バンドの内側は楕円弧状の凹み（１）、さらに外側表面は円弧状の膨らみ（２）を持たせたことを特徴とする、コップバンド。
【０００６】請求項２記載の考案は、図２に示すように、伸縮性及び摩擦性のあるゴム等からなる軟質素材で一定の幅とコップ等容器外周に相当する長さを有する帯状バンド（Ｂ）で、該帯状バンドの裏面側に剥離可能に貼着された剥離紙を備えた粘着部（３）を設けたことを特徴とする、コップバンド。
【０００７】請求項３記載の考案は、図３に示すように、請求項１及び請求項２記載のコップバンドで外側表面に凹凸状の模様や文字またロゴマーク等の加飾部（４）を設けたことを特徴とする、コップバンド。
【考案の効果】
【０００８】請求項１記載のコップバンドは、図１（ＩＩ）に示すように、コップ等円筒形の容器上部の把持し易い位置に嵌め込んで装着することにより、伸縮性及び摩擦性のあるゴム等からなる軟質素材でしかも内側を楕円弧状の凹み（１）を形成することで容器表面に吸着するように密着するためリング状バンド（Ａ）は容器（７）に確実に固着される、さらにリング状バンドの外側表面に突起（５）が形成され把持したコップの手指（６）に引っ掛かりが生じ握力が弱くても滑りによる脱落を防止できる。以上のことから宴会やパーテイのように長時間コップを把持するような場合や特に握力の弱い子供や高齢者にも安心して使用でき、さらに容器内の内容物が過度に熱い又は冷たい場合でもバンド素材に断熱性があり突起（５）を把持することで安心して使用できる、また伸縮性のある素材からなるコップバンドはサイズの異なるコップ等容器にも対応でき、例えば陶器製の湯飲みや徳利さらに冷えたワインやビール瓶等のように比較的重量がありその上結露で滑りやすい瓶容器にも利用でき、しかも容器に装着されたコップバンドは形状がシンプルで違和感がなく必要に応じ着脱自在で便利である。
【０００９】請求項２記載のコップバンドは、図２に示すように、一定の幅と長さの帯状バンド（Ｂ）をコップ等円筒形の容器外周の把持し易い位置に貼り付けて固着することにより、請求項１記載と同様の効果が得られる、さらに食卓の調味料容器のように比較的長期に使用する円筒形の容器の利用に最適で、また帯状バンドは容器等の大小の違いによる外周に合わせ寸法切りができ利用範囲が広がる効果がある。
【００１０】請求項３記載のコップバンドは、図３に示すように、請求項１及び請求項２記載のコップバンドであって、該コップバンドの外側表面に凹凸状の模様や文字またロゴマーク等の加飾部（４）を設けることで把持する接触部分に滑り止め効果が高まり、しかも加飾部の美的効果やまた企業等の広告媒体としても利用できる。
【考案を実施するための最良の形態】以下、この考案の実施の形態を説明する。【００１１】第１実施例のコップバンドは、伸縮性及び摩擦性のあるゴム等からなる無臭性の軟質素材で一定幅の帯状で環形状に形成されたリング状バンド（Ａ）で、該リング状バンドの内側は楕円弧状の凹み（１）、さらに外側表面は円弧状の膨らみ（２）を持たせた形状にする、また形状サイズは例えば一般に利用されているコップや円筒形の容器のレギュラーサイズ（口径６０ｍｍ〜７５ｍｍ位）に対応すべく本考案のコップバンドの帯幅は１０ｍｍ及び口径は５０ｍｍ前後が最適であるが、さらに用途拡大のため形状サイズは数種類あることが望ましい。【００１２】第２実施例のコップバンドは、伸縮性及び摩擦性のあるゴム等からなる無臭性の軟質素材で一定の幅とコップ等容器外周に相当する長さを有する帯状バンド（Ｂ）で、該帯状バンドの外側表面は円弧状の膨らみを持たせ裏面側には剥離可能に貼着された剥離紙を備えた粘着部（３）を設ける。【００１３】第３実施例のコップバンドは、第１及び第２実施例のコップバンドであって、該コップバンドの外側表面に凹凸状の模様や文字またロゴマーク等の加飾部（４）を設ける。
【図面の簡単な説明】
【００１４】
【図１】（Ｉ）実施例１のコップバンドで上方からの斜視図、要部を一部断面図。
【図１】（ＩＩ）コップバンド使用時の側面図で、要部を一部断面図。
【図２】実施例２のコップバンドで上方からの斜視図で、中間省略図。
【図３】実施例３のコップバンドで上方からの斜視図。
【符号の説明】
【００１５】（Ａ）    リング状バンド
（Ｂ）    帯状バンド
（１）    凹み
（２）    膨らみ
（３）    粘着部
（４）    加飾部
（５）    突起
（６）    手指
（７）    容器
【図１】
0003159713.tif 000003
【図２】
0003159713.tif 000004
【図３】
0003159713.tif 000005
【手続補正書】
【提出日】平成22年3月1日(2010.3.1)
【手続補正１】
【補正対象書類名】実用新案登録請求の範囲
【補正対象項目名】請求項３
【補正方法】変更
【補正の内容】
【請求項３】
請求項１または２記載のコップバンドであって、該コップバンドの表面側に凹凸状の模様や文字またロゴマーク等の加飾部を設けたことを特徴とする、コップバンド。